(57)【要約】【課題】小型化及び部品点数の削減が可能で操作性の良好なロック装置を提供する。【解決手段】トーションバー２は、第１ユニット１に取り付けられた基部と、側方へと突出するロック爪３が付設された先端部とを有する。第２ユニット５に設けられたトーションバー受け入れ嵌合部６は、トーションバー２が長手方向に移動するトーションバー移動経路部と、トーションバー２に反発力を残留させることなくロック爪３を係止するロック爪係止部８と、ロック爪３に作用してトーションバー２にねじりによる反発力を付与することでロック爪３の係止を解除するロック爪係止解除手段とを有する。ロック爪３及びトーションバー移動経路部の少なくとも一方に、トーションバー２の移動に際しロック爪３とトーションバー移動経路部との当接に基づきトーションバー２のねじり状態を変化させて反発力を変化させるように構成された傾斜ガイド構造４，７が設けられている。【選択図】図１
2014206263.tif 000002
【特許請求の範囲】
【請求項１】
互いに着脱可能な第１のユニットと第２のユニットとを嵌合させロックするロック装置であって、
前記ロック装置は、前記第１のユニットに取り付けられたトーションバーと、前記第２のユニットに設けられたトーションバー受け入れ嵌合部とを備え、
前記トーションバーは、前記第１のユニットに取り付けられた基部と、側方へと突出するロック爪が付設された先端部とを有し、
前記トーションバー受け入れ嵌合部は、長手方向に受け入れられた前記トーションバーがその長手方向に移動するトーションバー移動経路部と、受け入れた前記トーションバーに反発力を残留させることなく前記ロック爪を前記トーションバーの長手方向に係止するロック爪係止部と、該ロック爪係止部により係止された前記ロック爪に作用して前記トーションバーにねじりによる反発力を付与することで前記ロック爪係止部によるロック爪の係止を解除するロック爪係止解除手段とを有し、
前記ロック爪及び前記トーションバー移動経路部の少なくとも一方に、前記トーションバーの移動に際して前記ロック爪と前記トーションバー移動経路部との当接に基づき前記トーションバーのねじり状態を変化させて反発力を変化させるように構成された傾斜ガイド構造が設けられている、
ことを特徴とするロック装置。
【請求項２】
前記傾斜ガイド構造は、前記ロック爪に形成され前記トーションバー移動経路部に当接するロック爪傾斜部位を含み、該ロック爪傾斜部位は、前記ロック爪の突出方向と直交する断面において前記トーションバーの長手方向に対し傾斜していることを特徴とする、請求項１に記載のロック装置。
【請求項３】
前記ロック爪は、前記トーションバー受け入れ嵌合部のロック爪係止部により係止される被係止面を有し、該被係止面は、前記トーションバーの長手方向に関し前記傾斜ガイド構造のロック爪傾斜部位に隣接する位置に設けられていることを特徴とする、請求項２に記載のロック装置。
【請求項４】
前記傾斜ガイド構造は、前記トーションバー移動経路部に形成され前記ロック爪に当接する移動経路部傾斜部位を含み、該移動経路部傾斜部位は、前記トーションバー受け入れ嵌合部に受け入れられる前記トーションバーの前記ロック爪の突出方向と直交する断面において前記トーションバーの長手方向に対し傾斜していることを特徴とする、請求項１乃至３の何れか一項に記載のロック装置。
【請求項５】
前記ロック爪係止部は、前記トーションバーの長手方向に関し前記傾斜ガイド構造の移動経路部傾斜部位に隣接する位置に設けられた係止面を有することを特徴とする、請求項４に記載のロック装置。
【請求項６】
前記トーションバー移動経路部に受け入れられた前記トーションバーがその長手方向に第１の向きに移動するに伴い、前記傾斜ガイド構造の作用により前記トーションバーのねじり状態が変化して反発力が増加し、次いで前記ロック爪が前記ロック爪係止部に至ることで前記トーションバーのねじり状態が変化して反発力が消失し前記ロック爪が前記ロック爪係止部により前記長手方向に前記第１の向きと反対の第２の向きに係止され、
前記ロック爪係止解除手段により前記ロック爪係止部によるロック爪の係止を解除した後に、前記トーションバーが前記長手方向に前記第２の向きに移動するに伴い、前記傾斜ガイド構造の作用により前記トーションバーのねじり状態が変化して反発力が減少する、
ように構成されていることを特徴とする、請求項１乃至５の何れか一項に記載のロック装置。
【発明の詳細な説明】
【技術分野】
【０００１】
本発明は、トーションバー即ちねじり棒ばねを用いたロック装置に関する。本発明のロック装置は、着脱可能な２つのユニット（即ち構造体）を有する機器の全般に好適に適用される。
【背景技術】
【０００２】
トーションバーを用いたロック装置については、図２〜図５に示されるようなものを、本発明の背景技術として示すことができる。
【０００３】
図２は背景技術のロック装置を有する通信端末機器の外観を示す斜視図であり、図３は当該機器を構成する互いに着脱可能な２つのユニットのうちの一方である機器本体の外観を示す斜視図であり、図４は当該機器本体からそれを構成するカバーを取り外した状態を示す斜視図であり、図５は当該機器におけるロック装置の構成を示す断面図である。
【０００４】
通信機器は、互いに着脱可能な２つのユニットのうちの一方としての機器本体９と他方としてのバッテリーパック１０とを有する。機器本体９とバッテリーパック１０とは図２における右上から左下にかけての方向の相対移動により互いに着脱可能なように構成されており、機器本体９に対するバッテリーパック１０の嵌合及びロックを可能ならしめるものとしてロック装置が設けられている。このロック装置は、機器本体９及びバッテリーパック１０の嵌合端面部において両端にそれぞれ設けられている１対のロック機構部を備える。
【０００５】
各ロック機構部において、機器本体９に設けられたスペース１８内に、支軸１７及び該支軸の周りに巻回されたねじりばね１２が配置されている。また、支軸１７の中心の周りで回動可能なようにロックレバー１１が配置されている。ロックレバー１１は、機器本体９の側端面に連なってスペース１８を塞ぐように位置するロックレバー本体と支軸１７に対してその中心の周りで回動可能に取り付けられた軸係合部１５とを有する。バッテリーパック１０の方へと突出する該ロックレバー本体の突出端には、嵌合爪１３が形成されている。ねじりばね１２は圧縮状態で組み込まれており、その反発力によりロックレバー１１が支軸１７の中心の周りで図５中時計周りに付勢されている。この付勢により、スペース１８を形成する機器本体９の端面縁にロックレバー本体が係止される。ロックレバー本体は、嵌合爪１３の形成された突出端とは反対側の操作端１４を押すことで、ねじりばね１２の反発力に抗して支軸１７の中心の周りで図５中反時計周りに回転することができる。
【０００６】
一方、各ロック機構部において、バッテリーパック１０には、嵌合爪１３に対応する位置に、該嵌合爪１３と嵌合する嵌合凹部１６が形成されている。
【０００７】
バッテリーパック１０を機器本体９に装着する際には、バッテリーパック１０を機器本体９に対して図５中左向きに移動させることで、バッテリーパック１０の嵌合凹部１６に隣接する先端角部がロックレバー１１の嵌合爪１３の斜面に当接し、これに伴いねじりばね１２の反発力に抗してロックレバー１１が支軸１７の中心の周りで図５中反時計回りに回転し、やがて、嵌合凹部１６が嵌合爪１３に対応する位置に至ると、ねじりばね１２の反発力により付勢されたロックレバー１１が支軸１７の中心の周りで図５中時計回りに回転する。これにより、嵌合爪１３が嵌合凹部１６内へと入り込み、ロック状態となる。
【０００８】
バッテリーパック１０を機器本体９から脱着する際には、ねじりばね１２の反発力に抗してロックレバー１１の操作端１４をスペース１８に向かって押すことで、ロックレバー１１が支軸１７の中心の周りで図５中反時計回りに回転し、これにより嵌合爪１３が嵌合凹部１６から離脱し、アンロック状態即ちロック解除状態となる。
【０００９】
ところで、特許文献１には、車両用シートスライド装置に適用されたロック装置であってロックレバーの付勢手段としてトーションバーを用いたものに関する発明が開示されている。
【００１０】
また、特許文献２には、雄部材の円柱部を雌部材の円筒部に遊嵌させ、これらの間に係合手段を介在させ、遊嵌部とは反対側の端部において雄部材及び雌部材のそれぞれに形成された頭部と被締結物との間にそれぞれ弾性リングを装着してなる締結具に関する発明が開示されている。
【先行技術文献】
【特許文献】
【００１１】
【特許文献１】国際公開第２００７／１２９４３５号公報
【特許文献２】特開２００４−２４５３５２号公報
【発明の概要】
【発明が解決しようとする課題】
【００１２】
しかるに、図２〜図５に関し説明した背景技術のロック装置は、ねじりばね１２を実装するためのかなり大きなスペース１８を要するため、機器の小型化の観点からは、好ましいものではない。また、このロック装置は、ねじりばね１２とロックレバー１１とを別部材として用いるので、部品点数削減の観点からは、未だ改善の余地がある。
【００１３】
また、特許文献１のロック装置では、トーションバーは実際にロック機能を発揮するロックレバーに付勢力を与えるために用いられており、即ちロック機構はトーションバーとは別にロックレバーを使用するものであるので、やはり機器の小型化には不利であり且つ部品点数削減の観点からは未だ改善の余地がある。
【００１４】
また、特許文献２の締結具では、締結の際に雄部材の円柱部と雌部材の円筒部とを嵌合させるためには、雄部材の円柱部と雌部材の円筒部とを互いに接近させるのみでは足りず、それとは別に雄部材の円柱部と雌部材の円筒部とをそれらの長手方向の周りに互いに回転させるための特別の操作又は手段が必要であり、やはり機器の小型化に不利であり且つ部品点数削減の観点からは未だ改善の余地があると共に、操作性に難点がある。
【００１５】
本発明の目的は、以上の如き技術的課題に鑑みて、小型化が可能で、部品点数の削減が可能で、操作性の良好なロック装置を提供することにある。
【課題を解決するための手段】
【００１６】
本発明によれば、以上の如き目的を達成するものとして、
互いに着脱可能な第１のユニットと第２のユニットとを嵌合させロックするロック装置であって、
前記ロック装置は、前記第１のユニットに取り付けられたトーションバーと、前記第２のユニットに設けられたトーションバー受け入れ嵌合部とを備え、
前記トーションバーは、前記第１のユニットに取り付けられた基部と、側方へと突出するロック爪が付設された先端部とを有し、
前記トーションバー受け入れ嵌合部は、長手方向に受け入れられた前記トーションバーがその長手方向に移動するトーションバー移動経路部と、受け入れた前記トーションバーに反発力を残留させることなく前記ロック爪を前記トーションバーの長手方向に係止するロック爪係止部と、該ロック爪係止部により係止された前記ロック爪に作用して前記トーションバーにねじりによる反発力を付与することで前記ロック爪係止部によるロック爪の係止を解除するロック爪係止解除手段とを有し、
前記ロック爪及び前記トーションバー移動経路部の少なくとも一方に、前記トーションバーの移動に際して前記ロック爪と前記トーションバー移動経路部との当接に基づき前記トーションバーのねじり状態を変化させて反発力を変化させるように構成された傾斜ガイド構造が設けられている、
ことを特徴とするロック装置、
が提供される。
【００１７】
本発明の一態様においては、前記傾斜ガイド構造は、前記ロック爪に形成され前記トーションバー移動経路部に当接するロック爪傾斜部位を含み、該ロック爪傾斜部位は、前記ロック爪の突出方向と直交する断面において前記トーションバーの長手方向に対し傾斜している。本発明の一態様においては、前記ロック爪は、前記トーションバー受け入れ嵌合部のロック爪係止部により係止される被係止面を有し、該被係止面は、前記トーションバーの長手方向に関し前記傾斜ガイド構造のロック爪傾斜部位に隣接する位置に設けられている。
【００１８】
本発明の一態様においては、前記傾斜ガイド構造は、前記トーションバー移動経路部に形成され前記ロック爪に当接する移動経路部傾斜部位を含み、該移動経路部傾斜部位は、前記トーションバー受け入れ嵌合部に受け入れられる前記トーションバーの前記ロック爪の突出方向と直交する断面において前記トーションバーの長手方向に対し傾斜している。本発明の一態様においては、前記ロック爪係止部は、前記トーションバーの長手方向に関し前記傾斜ガイド構造の移動経路部傾斜部位に隣接する位置に設けられた係止面を有する。
【００１９】
本発明の一態様においては、前記ロック装置は、
前記トーションバー移動経路部に受け入れられた前記トーションバーがその長手方向に第１の向きに移動するに伴い、前記傾斜ガイド構造の作用により前記トーションバーのねじり状態が変化して反発力が増加し、次いで前記ロック爪が前記ロック爪係止部に至ることで前記トーションバーのねじり状態が変化して反発力が消失し前記ロック爪が前記ロック爪係止部により前記長手方向に前記第１の向きと反対の第２の向きに係止され、
前記ロック爪係止解除手段により前記ロック爪係止部によるロック爪の係止を解除した後に、前記トーションバーが前記長手方向に前記第２の向きに移動するに伴い、前記傾斜ガイド構造の作用により前記トーションバーのねじり状態が変化して反発力が減少する、
ように構成されている。
【発明の効果】
【００２０】
本発明によれば、小型化が可能で、部品点数の削減が可能で、操作性の良好なロック装置が提供される。
【図面の簡単な説明】
【００２１】
【図１】本発明によるトーションバーを用いたロック装置の基本構成を示す斜視図である。
【図２】背景技術のロック装置を有する通信端末機器の外観を示す斜視図である。
【図３】図２の通信端末機器を構成する互いに着脱可能な２つのユニットのうちの一方である機器本体の外観を示す斜視図である。
【図４】図２の通信端末機器の機器本体からそれを構成するカバーを取り外した状態を示す斜視図である。
【図５】図２の通信端末機器におけるロック装置の構成を示す断面図である。
【図６】本発明によるトーションバーを用いたロック装置を有する通信端末機器の外観を示す斜視図である。
【図７】図６の通信端末機器を構成する互いに着脱可能な２つのユニットのうちの一方である機器本体の外観を示す斜視図である。
【図８】図６の通信端末機器の機器本体からそれを構成するカバーを取り外した状態を示す斜視図である。
【図９】図６の通信端末機器におけるロック装置を構成する機器本体に設けられたトーションバー部分を示す部分拡大斜視図である。
【図１０】図６の通信端末機器を構成する互いに着脱可能な２つのユニットのうちの他方であるバッテリーパックの外観を示す斜視図である。
【図１１】図６の通信端末機器におけるロック装置を構成するバッテリーパックに設けられたトーションバー受け入れ嵌合部の構造を示す断面図である。
【図１２】図６の通信端末機器におけるロック装置を構成するバッテリーパックに設けられたロック爪係止解除手段を示す断面斜視図である。
【図１３】図６の通信端末機器におけるロック装置のロック動作説明のための断面図である。
【図１４】図６の通信端末機器におけるロック装置のロック動作説明のための断面図である。
【発明を実施するための形態】
【００２２】
本発明によるトーションバーを用いたロック装置の基本構成を、図１に示す。
【００２３】
第１のユニット１と第２のユニット５とは、図１における右上から左下にかけての方向の相対移動により互いに着脱可能なように構成されている。第１のユニット１と第２のユニット５とを嵌合させロックするロック装置は、第１のユニット１に取り付けられたトーションバー２と、第２のユニット５に設けられたトーションバー受け入れ嵌合部６とを備える。トーションバー２は、第１のユニット１に取り付けられた基部と、側方（トーションバー２の半径方向）へと突出するロック爪３が付設された先端部（図１における左端部）とを有する。トーションバー受け入れ嵌合部６は、長手方向に受け入れられたトーションバー２がその長手方向に移動するトーションバー移動経路部（通路）と、受け入れたトーションバー２に反発力を残留させることなくロック爪３をトーションバー２の長手方向に係止するロック爪係止部８と、ロック爪係止部８により係止されたロック爪３に作用してトーションバー２にねじりによる反発力を付与することでロック爪係止部８によるロック爪３の係止を解除する不図示のロック爪係止解除手段とを有する。
【００２４】
ロック爪３及びトーションバー移動経路部の少なくとも一方に、トーションバー２の移動に際してロック爪３とトーションバー移動経路部との当接に基づきトーションバー２のねじり状態を変化させて反発力を変化させるように構成された傾斜ガイド構造（４，７）が設けられている、ここでは、傾斜ガイド構造は、ロック爪３及びトーションバー移動経路部の双方に設けられている。
【００２５】
即ち、傾斜ガイド構造は、ロック爪３に形成されトーションバー移動経路部に当接するロック爪傾斜部位４を含み、該ロック爪傾斜部位は、ロック爪３の突出方向と直交する断面においてトーションバー２の長手方向に対し傾斜している。ロック爪３は、トーションバー受け入れ嵌合部６のロック爪係止部８により係止される被係止面（図１における右端面）を有し、該被係止面は、トーションバー２の長手方向に関し傾斜ガイド構造のロック爪傾斜部位４に隣接する位置に設けられている。
【００２６】
また、傾斜ガイド構造は、トーションバー移動経路部に形成されロック爪３に当接する移動経路部傾斜部位７を含み、該移動経路部傾斜部位は、トーションバー受け入れ嵌合部６に受け入れられるトーションバー２のロック爪３の突出方向と直交する断面においてトーションバー２の長手方向に対し傾斜している。ロック爪係止部８は、トーションバー２の長手方向に関し傾斜ガイド構造の移動経路部傾斜部位７に隣接する位置に設けられた係止面（図１における左端面）を有する。
【００２７】
本ロック装置の動作につき、以下説明する。
【００２８】
トーションバー移動経路部に受け入れられたトーションバー２がその長手方向に第１の向き（図１では左向き）に移動するに伴い、傾斜ガイド構造の作用によりトーションバー２のねじり状態が変化して反発力が増加し、次いでロック爪３がロック爪係止部８に至る。これにより、トーションバー２のねじり状態が変化して反発力が消失し、ロック爪３の被係止面がトーションバー移動経路部のロック爪係止部８の係止面に当接して、ロック爪３がロック爪係止部８により上記長手方向に第１の向きと反対の第２の向き（図１では右向き）に係止される。
【００２９】
ロック爪係止解除手段によりトーションバー２にねじりによる反発力を付与することでロック爪係止部８によるロック爪３の係止を解除した後に、トーションバー２が第２の向きに移動するに伴い、傾斜ガイド構造の作用によりトーションバー２のねじり状態が変化して反発力が減少する。
【００３０】
本発明によるトーションバーを用いたロック装置の一実施形態の構成を、図６〜図１２に示す。この実施形態では、互いに着脱可能な２つのユニットは、通信端末機器を構成する機器本体及びバッテリーパックである。
【００３１】
図６はロック装置を有する通信端末機器の外観を示す斜視図であり、図７は当該通信端末機器を構成する互いに着脱可能な２つのユニットのうちの一方である機器本体の外観を示す斜視図であり、図８は当該機器本体からそれを構成するカバーを取り外した状態を示す斜視図であり、図９は当該機器本体に設けられたトーションバー部分を示す部分拡大斜視図であり、図１０は当該通信端末機器を構成する互いに着脱可能な２つのユニットのうちの他方であるバッテリーパックの外観を示す斜視図であり、図１１は当該バッテリーパックに設けられたトーションバー受け入れ嵌合部の構造を示す断面図であり、図１２は当該バッテリーパックに設けられたロック爪係止解除手段を示す断面斜視図である。
【００３２】
機器本体１９とバッテリーパック２０とは、図６における右上から左下にかけての方向の相対移動により互いに着脱可能なように構成されている。
【００３３】
機器本体１９とバッテリーパック２０とを嵌合させロックするロック装置は、機器本体１９に取り付けられ上記相対移動の方向に延びたトーションバー２１と、バッテリーパック２０に設けられたトーションバー受け入れ嵌合部２５とを備える。トーションバー２１は、機器本体１９に取り付けられた基部と、側方（トーションバー２１の半径方向）へと突出するロック爪２２が付設された先端部とを有する。トーションバー受け入れ嵌合部２５は、長手方向に受け入れられたトーションバー２１がその長手方向に移動するトーションバー移動経路部（通路）と、受け入れたトーションバー２１に反発力を残留させることなくロック爪２２をトーションバー２１の長手方向に係止するロック爪係止部２７と、ロック爪係止部２７により係止されたロック爪２２に作用してトーションバー２１にねじりによる反発力を付与することでロック爪係止部２７によるロック爪２１の係止を解除するロック爪係止解除手段２８とを有する。ロック爪係止解除手段２８は、ロック爪２２に当接して作用押圧力をロック爪２２に伝達する押圧部２９を有する。
【００３４】
ロック爪２２及びトーションバー移動経路部の双方に、トーションバー２１の移動に際してロック爪２２とトーションバー移動経路部との当接に基づきトーションバー２１のねじり状態を変化させて反発力を変化させるように構成された傾斜ガイド構造（２３，２６）が設けられている。
【００３５】
即ち、傾斜ガイド構造は、ロック爪２２に形成されトーションバー移動経路部に当接するロック爪傾斜部位２３を含み、該ロック爪傾斜部位は、ロック爪２２の突出方向と直交する断面においてトーションバー２１の長手方向に対し傾斜している。ロック爪２２は、トーションバー受け入れ嵌合部２５のロック爪係止部２７により係止される被係止面２４を有し、該被係止面は、図９において右向きであり、トーションバー２１の長手方向に関し傾斜ガイド構造のロック爪傾斜部位２３に隣接する位置に設けられている。
【００３６】
また、傾斜ガイド構造は、トーションバー移動経路部に形成されロック爪２２に当接する移動経路部傾斜部位２６を含み、該移動経路部傾斜部位は、トーションバー受け入れ嵌合部２５に受け入れられる直前のトーションバー２１のロック爪２２の突出方向と直交する断面においてトーションバー２１の長手方向に対し傾斜している。ロック爪係止部２７は、トーションバー２１の長手方向に関し傾斜ガイド構造の移動経路部傾斜部位２６に隣接する位置に設けられた係止面（図１１において左向きの面）を有する。
【００３７】
尚、傾斜ガイド構造は、ロック爪２２及びトーションバー移動経路部のうちの一方にのみ設けてもよい。
【００３８】
本実施形態のロック装置の動作につき、図１３及び図１４をも参照して、以下説明する。
【００３９】
図１３の状態から、バッテリーパック２０を右向きに機器本体１９の方へと移動させる。これにより、トーションバー２１がトーションバー移動経路部に受け入れられる。尚、以下の説明では、トーションバー２１とトーションバー移動経路部との相対移動については、トーションバー移動経路部に対するトーションバー２１の移動に着目して説明する。
【００４０】
トーションバー移動経路部に受け入れられたトーションバー２１がその長手方向に第１の向き（図１３及び図１４では左向き）に移動するに伴い、傾斜ガイド構造（２３，２６）の作用によりトーションバー２１のねじり状態が変化して反発力が増加し、次いでロック爪２２がロック爪係止部２７に至る。これにより、トーションバー２１のねじり状態が変化して反発力が消失し、ロック爪２２の被係止面２４がトーションバー移動経路部のロック爪係止部２７の係止面に当接して、ロック爪２２がロック爪係止部２７により上記長手方向に第１の向きと反対の第２の向き（図１３及び図１４では右向き）に係止される。このロック状態が図１４に示されている。
【００４１】
ロック解除の際には、図１４に示されている状態から、ロック爪係止解除手段２８をバッテリーパック２０の内部に向けて押すことで、押圧部２９がロック爪２２を押し、トーションバー２１にねじりによる反発力を付与する。これにより、ロック爪係止部２７の係止面とロック爪２２の被係止面２４との当接状態が解消し、ロック爪係止部２７によるロック爪２２の係止が解除される。その後、トーションバー２１が上記長手方向に第２の向き（図１３及び図１４では右向き）に移動するに伴い、傾斜ガイド構造の作用によりトーションバー２１のねじり状態が変化して反発力が減少する。かくして、バッテリーパック２０が機器本体１９に対してフリーとなり分離される。
【００４２】
以上のように、本発明においては、トーションバーのねじりによる反発力を利用したロック構造としているので、ねじりばねの実装スペースが不要になり小型化が可能になり、ロックのための部材とばね構造とを一体化しており部品点数の削減が可能になり、更に操作性が良好である。
【符号の説明】
【００４３】
１  第１のユニット
２  トーションバー
３  ロック爪
４  傾斜ガイド構造（ロック爪傾斜部位）
５  第２のユニット
６  トーションバー受け入れ嵌合部
７  傾斜ガイド構造（移動経路部傾斜部位）
８  ロック爪係止部
１９  機器本体（第１のユニット）
２０  バッテリーパック（第２のユニット）
２１  トーションバー
２２  ロック爪
２３  ロック爪傾斜部位（傾斜ガイド構造）
２４  被係止面
２５  トーションバー受け入れ嵌合部
２６  移動経路部傾斜部位（傾斜ガイド構造）
２７  ロック爪係止部
２８  ロック爪係止解除手段
２９  押圧部
【図１】
2014206263.tif 000003
【図２】
2014206263.tif 000004
【図３】
2014206263.tif 000005
【図４】
2014206263.tif 000006
【図５】
2014206263.tif 000007
【図６】
2014206263.tif 000008
【図７】
2014206263.tif 000009
【図８】
2014206263.tif 000010
【図９】
2014206263.tif 000011
【図１０】
2014206263.tif 000012
【図１１】
2014206263.tif 000013
【図１２】
2014206263.tif 000014
【図１３】
2014206263.tif 000015
【図１４】
2014206263.tif 000016